(57)【要約】【課題】本発明は、従来にない非常に実用的な引き出し式収納ケースを提供することを目的とする。【解決手段】枠形成体の上側に支柱を介して木天板を設けた構成の枠状本体部と、枠形成体と木天板との間に引き出し自在に設けられた引出体とから成る引き出し式収納ケースにおいて、枠形成体上面側に設けられる支柱上側の上側差し込み端部を、木天板の木天板差し込み係合凹部に木天板差し込み連結用部材を介して連結する構成として、枠状本体部が組み付け構築されるようにし、木天板差し込み連結用部材には、支柱の上側差し込み端部に取り付けられる取付部と、平断面円形に設けられた木天板差し込み係合凹部に差し込み係合し得る差し込み係合凸部とが設けられたものである。【選択図】図１
2018019842.tif 000002
【特許請求の範囲】
【請求項１】
枠形成体の上側に支柱を介して木天板を設けた構成の枠状本体部と、前記枠形成体と木天板との間に引き出し自在に設けられた引出体とから成る引き出し式収納ケースにおいて、前記枠形成体上面側に設けられる前記支柱上側の上側差し込み端部を、前記木天板の木天板差し込み係合凹部に木天板差し込み連結用部材を介して連結する構成として、前記枠状本体部が組み付け構築されるようにし、前記木天板差し込み連結用部材には、前記支柱の上側差し込み端部に取り付けられる取付部と、平断面円形に設けられた前記木天板差し込み係合凹部に差し込み係合し得る差し込み係合凸部とが設けられていることを特徴とする引き出し式収納ケース。
【請求項２】
支柱を介して枠形成体が上下複数段設けられた構成、更に前記支柱を介して最上部に木天板を設けた構成の枠状本体部と、この枠状本体部の前記枠形成体同士間及び前記枠形成体と木天板との間に引き出し自在に設けられた引出体とから成る引き出し式収納ケースにおいて、前記枠形成体上面側に設けられる前記支柱上側の上側差し込み端部を、この枠形成体の上側に配設する前記枠形成体下面側の下側差し込み係合部に差し込む構成とし、更に最上段の前記枠形成体上面側に設けられる前記支柱上側の上側差し込み端部を、この枠形成体の上側に配設する前記木天板の木天板差し込み係合凹部に木天板差し込み連結用部材を介して連結する構成として、前記枠状本体部が組み付け構築されるようにし、前記木天板差し込み連結用部材には、前記支柱の上側差し込み端部に取り付けられる取付部と、平断面円形に設けられた前記木天板差し込み係合凹部に差し込み係合し得る平断面円形の差し込み係合凸部とが設けられていることを特徴とする引き出し式収納ケース。
【請求項３】
前記木天板差し込み連結用部材には前記差し込み係合凸部が複数設けられ、この各差し込み係合凸部が差し込み係合し得る前記木天板差し込み係合凹部が前記木天板に設けられていることを特徴とする請求項１，２のいずれか１項に記載の引き出し式収納ケース。
【請求項４】
前記差し込み係合凸部は平断面円形であることを特徴とする請求項１〜３のいずれか１項に記載の引き出し式収納ケース。
【請求項５】
前記差し込み係合凸部の側周面には突起部が設けられていることを特徴とする請求項１〜４のいずれか１項に記載の引き出し式収納ケース。
【請求項６】
前記支柱上側の上側差し込み端部は平断面視コ字状若しくは方形状であり、この上側差し込み端部に被嵌状態で取り付けられるように前記取付部は構成されていることを特徴とする請求項１〜５のいずれか１項に記載の引き出し式収納ケース。
【請求項７】
前記木天板差し込み係合凹部に前記差し込み係合凸部を差し込み係合した際、前記木天板の下面所定位置に設けられた凹部に凹凸嵌合する凸部が前記木天板差し込み連結用部材に設けられ、この凹部と凸部の位置を、前記支柱を前記木天板の正しい位置にて前記木天板差し込み係合凹部に前記差し込み係合凸部を差し込み係合した時のみ凹凸嵌合し得るように設けて、前記支柱の連結位置が正しい場合に差し込みが出来て組み付け構築できるように構成されていることを特徴とする請求項１〜６のいずれか１項に記載の引き出し式収納ケース。
【請求項８】
前記木天板差し込み連結用部材は合成樹脂製の部材を一体成形したものであることを特徴とする請求項１〜７のいずれか１項に記載の引き出し式収納ケース。
【発明の詳細な説明】
【技術分野】
【０００１】
本発明は、引き出し式収納ケースに関するものである。
【背景技術】
【０００２】
本出願人は、衣類や雑貨などを整理収納する引き出し式収納ケースとして、特許第５７２８０３７号に開示される引き出し式収納ケース（以下、従来例）を提案している。
【０００３】
この従来例は、前後左右の四隅に設けた支柱を介して枠形成体を上下複数段設けた構成若しくは更に支柱を介して最上部に天板を設けた構成の枠状本体部と、この本体部の枠形成体間若しくは枠形成体と天板との間に引き出し自在に設けた引出体とから成り、支柱下側の下側差し込み端部を枠形成体上面側の上側差し込み係合部に差し込み、支柱上側の上側差し込み端部をこの枠形成体の上側に配設する上側の枠形成体若しくは天板の裏面側の差し込み係合部に差し込み枠状本体部を組み付け構築するように構成したものである。
【先行技術文献】
【特許文献】
【０００４】
【特許文献１】特許第５７２８０３７号公報
【発明の概要】
【発明が解決しようとする課題】
【０００５】
ところで、支柱の上側の上側差し込み端部は角柱形状であり、天板として木天板を採用しようとする場合、この木天板の下側面に、支柱の上側差し込み端部が差し込み係合する断面方形状の凹部を形成することになるが、この断面方形状の凹部の形成にあたってのエンドミルでの切削作業が大変であり、しかも、精度が出しにくく、支柱との間にぐらつきが生じるという問題点がある。
【０００６】
本発明は、上述の問題点を解消するもので、従来にない非常に実用的な引き出し式収納ケースを提供するものである。
【課題を解決するための手段】
【０００７】
添付図面を参照して本発明の要旨を説明する。
【０００８】
枠形成体２の上側に支柱１を介して木天板３を設けた構成の枠状本体部４と、前記枠形成体２と木天板３との間に引き出し自在に設けられた引出体５とから成る引き出し式収納ケースにおいて、前記枠形成体２上面側に設けられる前記支柱１上側の上側差し込み端部７Ｂを、前記木天板３の木天板差し込み係合凹部10に木天板差し込み連結用部材９を介して連結する構成として、前記枠状本体部４が組み付け構築されるようにし、前記木天板差し込み連結用部材９には、前記支柱１の上側差し込み端部７Ｂに取り付けられる取付部９ａと、平断面円形に設けられた前記木天板差し込み係合凹部10に差し込み係合し得る差し込み係合凸部９ｂとが設けられていることを特徴とする引き出し式収納ケースに係るものである。
【０００９】
また、支柱１を介して枠形成体２が上下複数段設けられた構成、更に前記支柱１を介して最上部に木天板３を設けた構成の枠状本体部４と、この枠状本体部４の前記枠形成体２同士間及び前記枠形成体２と木天板３との間に引き出し自在に設けられた引出体５とから成る引き出し式収納ケースにおいて、前記枠形成体２上面側に設けられる前記支柱１上側の上側差し込み端部７Ｂを、この枠形成体２の上側に配設する前記枠形成体２下面側の下側差し込み係合部８Ａに差し込む構成とし、更に最上段の前記枠形成体２上面側に設けられる前記支柱１上側の上側差し込み端部７Ｂを、この枠形成体２の上側に配設する前記木天板３の木天板差し込み係合凹部10に木天板差し込み連結用部材９を介して連結する構成として、前記枠状本体部４が組み付け構築されるようにし、前記木天板差し込み連結用部材９には、前記支柱１の上側差し込み端部７Ｂに取り付けられる取付部９ａと、平断面円形に設けられた前記木天板差し込み係合凹部10に差し込み係合し得る平断面円形の差し込み係合凸部９ｂとが設けられていることを特徴とする引き出し式収納ケースに係るものである。
【００１０】
また、前記木天板差し込み連結用部材９には前記差し込み係合凸部９ｂが複数設けられ、この各差し込み係合凸部９ｂが差し込み係合し得る前記木天板差し込み係合凹部10が前記木天板３に設けられていることを特徴とする請求項１，２のいずれか１項に記載の引き出し式収納ケースに係るものである。
【００１１】
また、前記差し込み係合凸部９ｂは平断面円形であることを特徴とする請求項１〜３のいずれか１項に記載の引き出し式収納ケースに係るものである。
【００１２】
また、前記差し込み係合凸部９ｂの側周面には突起部９ｃが設けられていることを特徴とする請求項１〜４のいずれか１項に記載の引き出し式収納ケースに係るものである。
【００１３】
また、前記支柱１上側の上側差し込み端部７Ｂは平断面視コ字状若しくは方形状であり、この上側差し込み端部７Ｂに被嵌状態で取り付けられるように前記取付部９ａは構成されていることを特徴とする請求項１〜５のいずれか１項に記載の引き出し式収納ケースに係るものである。
【００１４】
また、前記木天板差し込み係合凹部10に前記差し込み係合凸部９ｂを差し込み係合した際、前記木天板３の下面所定位置に設けられた凹部11に凹凸嵌合する凸部12が前記木天板差し込み連結用部材９に設けられ、この凹部11と凸部12の位置を、前記支柱１を前記木天板３の正しい位置にて前記木天板差し込み係合凹部10に前記差し込み係合凸部９ｂを差し込み係合した時のみ凹凸嵌合し得るように設けて、前記支柱３の連結位置が正しい場合に差し込みが出来て組み付け構築できるように構成されていることを特徴とする請求項１〜６のいずれか１項に記載の引き出し式収納ケースに係るものである。
【００１５】
また、前記木天板差し込み連結用部材９は合成樹脂製の部材を一体成形したものであることを特徴とする請求項１〜７のいずれか１項に記載の引き出し式収納ケースに係るものである。
【発明の効果】
【００１６】
本発明は上述のように構成したから、製造が極めて簡易であるためコスト安であり、しかも、高精度な連結構造が得られるなど、従来にない非常に実用的な引き出し式収納ケースとなる。
【図面の簡単な説明】
【００１７】
【図１】本実施例を示す斜視図である。
【図２】本実施例の要部を示す分解斜視図である。
【図３】本実施例の要部の断面図である。
【図４】本実施例の要部の断面図である。
【図５】本実施例の要部を示す分解斜視図である。
【発明を実施するための形態】
【００１８】
好適と考える本発明の実施形態を、図面に基づいて本発明の作用を示して簡単に説明する。
【００１９】
本発明は、枠形成体２上面側に設けられる支柱１上側の上側差し込み端部７Ｂを、木天板３の木天板差し込み係合凹部10に木天板差し込み連結用部材９を介して連結して、枠状本体部４が組み付け構築される。この枠形成体２と木天板３との間に引出体５が引き出し自在に設けられる。
【００２０】
ところで、本発明は、前述したように支柱１上側の上側差し込み端部７Ｂを、木天板３の木天板差し込み係合凹部10に木天板差し込み連結用部材９を介して連結する構成であり、この木天板差し込み連結用部材９には、支柱１の上側差し込み端部７Ｂに取り付けられる取付部９ａと、平断面円形に設けられた木天板差し込み係合凹部10に差し込み係合し得る差し込み係合凸部９ｂとが設けられている。
【００２１】
即ち、本発明は、木天板差し込み連結用部材９を介して連結する構成とすることで、木天板３に設けられる木天板差し込み係合凹部10は平断面円形とすることができ、平断面円形の凹部であれば製造が極めて簡易であるためコスト安であり、しかも、高精度な連結構造が得られる為、木天板３と支柱１のガタツキが可及的に防止されることになる。
【実施例】
【００２２】
本発明の具体的な本実施例について図面に基づいて説明する。
【００２３】
本実施例は、前後左右（の四隅）に配される支柱１を介して枠形成体２が上下複数段設けられた構成、更に支柱１を介して最上部に木天板３を設けた構成の枠状本体部４と、この枠状本体部４の枠形成体２同士間及び枠形成体２と木天板３との間に引き出し自在に設けられた引出体５とから成る引き出し式収納ケースである。
【００２４】
尚、本実施例では後述するように合計４つの引出体５が引き出し自在に設けられる所謂四段構造の引き出し式収納ケースであるが、一段でも二段でも三段でも五段以上の構造でも良い。
【００２５】
以下、本実施例に係る構成各部について詳細な説明をする。
【００２６】
枠状本体部４は、図１に図示ししたように適宜な合成樹脂製の部材で形成されたものであり、内側開口部を有する平断面コ字状の支柱１の支柱１を介して合計四つの枠形成体２が上下に設けられてこの上下の各枠体形成体２間に合計四つの引出体５が設けられた構成であり、この枠形成体２のうち最上段の枠形成体２の上側に配されるのが木天板３であり、その他の枠形成体２は引出体を受ける受体であり、支柱１は受体としての枠形成体２の中央開口部に分離自在に該枠形成体２（受体）と同時成形したものである。
【００２７】
具体的には、この枠形成体２と同時成形された支柱１をこの枠形成体２の中央開口部から取り外し、この支柱１下側の下側差し込み端部７Ａを枠形成体２上面側の上側差し込み係合部８Ｂに差し込むとともに、支柱１上側の上側差し込み端部７Ｂを、この枠形成体２の上側に配設する枠形成体２下面側の下側差し込み係合部８Ａに差し込む構成とし、更に支柱１下側の下側差し込み端部７Ａを最上段の枠形成体２上面側の上側差し込み係合部８に差し込むとともに、支柱１上側の上側差し込み端部７Ｂを、この枠形成体２の上側に配設する木天板３の木天板差し込み係合凹部10に木天板差し込み連結用部材９を介して連結する構成として、枠状本体部４が組み付け構築される。
【００２８】
本実施例では、枠形成体２の四隅に角筒状の連結筒を一体成形し、この連結筒の途中に底部を形成して、上面側と下面側に中空の角柱形状（断面コ字状）とした支柱１の差し込み端部７Ａ，７Ｂを内側に差し込む差し込み係合部８Ａ，８Ｂを設けている。
【００２９】
従って、本実施例では、前後左右の１種類合計４本の支柱１を、その枠形成体２の中央開口部スペースを利用して枠形成体２と共に同時成形し、組み付け構築する際にこれら支柱１を取り外して順次枠形成体２に差し込み係止して構築するように構成している。
【００３０】
木天板差し込み連結用部材９は、図１〜４に図示したように適宜な合成樹脂製の部材で一体成形したものであり、支柱１の上側差し込み端部７Ｂに取り付けられる取付部９ａと、平断面円形に設けられた木天板差し込み係合凹部10に差し込み係合し得る平断面円形の差し込み係合凸部９ｂとが設けられている。
【００３１】
具体的には、木天板差し込み連結用部材９には差し込み係合凸部９ｂが複数（二つ）設けられ、この各差し込み係合凸部９ｂが差し込み係合し得る木天板差し込み係合凹部10が木天板３の四隅に複数（二つずつ）設けられている。尚、差し込み係合凸部９ｂと木天板差し込み係合凹部10の数は適宜変更し得るものである。
【００３２】
また、本実施例では、差し込み係合凸部９ｂは平断面円形に中空柱状体であり、この差し込み係合凸部９ｂの側周面には、周方向等間隔の位置に突起部９ｃが複数（四つ）設けられている。
【００３３】
また、本実施例では、木天板差し込み係合凹部10に差し込み係合凸部９ｂを差し込み係合した際、前記木天板３の下面所定位置に設けられた平断面円形の凹部11に凹凸嵌合する平断面円形の凸部12が木天板差し込み連結用部材９に設けられている。
【００３４】
この凹部11は木天板３にエンドミルで切削形成され、凸部12は木天板差し込み連結用部材９に一体成形されている。
【００３５】
また、この凹部11と凸部12の位置を、支柱１を木天板３の前後左右の正しい位置（平断面コ字状の支柱１の内側開口部が内方を向いた状態）にて木天板差し込み係合凹部10に差し込み係合凸部９ｂを差し込み係合した時のみ凹凸嵌合し得るように設けて、支柱３の連結位置が正しい場合に差し込みが出来て組み付け構築できるように構成されている。
【００３６】
尚、この凹部11と凸部12との凹凸嵌合によって支柱１の回り止めはより堅固となり、その点も考慮して凹部11及び凸部12夫々の数は複数でも良い。
【００３７】
また、本実施例では、図５に図示したように最下段の枠形成体２の下側差し込み係合部８Ａに差し込み連結される脚体13を設けており、この脚体13には自在キャスターや車輪（コロ）が着脱自在に連結される。
【００３８】
引出体５は、図１に図示したように適宜な合成樹脂製の部材で一体成形したものであり、夫々方形板状の正面部，底面部，左右側面部及び背面部とから成り、上部開口部を有するケース体である。
【００３９】
本実施例では、引出体５を四つ備えており、枠状本体部の各引出体収納部夫々に引き出し自在に設けられる。
【００４０】
本実施例は上述のように構成したから、枠形成体２上面側に設けられる支柱１上側の上側差し込み端部７Ｂを、木天板３の木天板差し込み係合凹部10に木天板差し込み連結用部材９を介して連結して、枠状本体部４が組み付け構築される。この枠形成体２と木天板３との間に引出体５が引き出し自在に設けられる。
【００４１】
ところで、本実施例は、前述したように支柱１上側の上側差し込み端部７Ｂを、木天板３の木天板差し込み係合凹部10に木天板差し込み連結用部材９を介して連結する構成であり、この木天板差し込み連結用部材９には、支柱１の上側差し込み端部７Ｂに取り付けられる取付部９ａと、平断面円形に設けられた木天板差し込み係合凹部10に差し込み係合し得る差し込み係合凸部９ｂとが設けられている。
【００４２】
即ち、本実施例は、木天板差し込み連結用部材９を介して連結する構成とすることで、木天板３に設けられる木天板差し込み係合凹部10は平断面円形とすることができ、平断面円形の凹部であれば製造が極めて簡易であるためコスト安であり、しかも、高精度な連結構造が得られる為、木天板３と支柱１のガタツキが可及的に防止されることになる。
【００４３】
また、本実施例は、木天板差し込み連結用部材９には差し込み係合凸部９ｂが複数設けられ、この各差し込み係合凸部９ｂが差し込み係合し得る木天板差し込み係合凹部10が木天板３に設けられているから、木天板３と支柱１との連結強度が得られるのは勿論、木天板差し込み係合凹部10が円形であっても支柱１の軸回転が確実に防止される。
【００４４】
また、本実施例は、差し込み係合凸部９ｂは平断面円形であるから、木天板差し込み係合凹部10への差し込みが良好に行われることになる。
【００４５】
また、本実施例は、差し込み係合凸部９ｂの側周面には突起部９ｃが設けられているから、より一層ガタツキが生じることを防止し得ることになる。
【００４６】
また、本実施例は、支柱１上側の上側差し込み端部７Ｂは平断面視コ字状若しくは方形状であり、この上側差し込み端部７Ｂに被嵌状態で取り付けられるように取付部９ａは構成されているから、枠形成体２同士を連結する支柱１をそのまま木天板３の連結構造として利用できる。
【００４７】
また、本実施例は、木天板差し込み係合凹部10に差し込み係合凸部９ｂを差し込み係合した際、木天板３の下面所定位置に設けられた凹部11に凹凸嵌合する凸部12が木天板差し込み連結用部材９に設けられ、この凹部11と凸部12の位置を、支柱１を木天板３の正しい位置にて木天板差し込み係合凹部10に差し込み係合凸部９ｂを差し込み係合した時のみ凹凸嵌合し得るように設けて、支柱３の連結位置が正しい場合に差し込みが出来て組み付け構築できるように構成されているから、誤った組み付け構築を確実に防止することができる。
【００４８】
また、本実施例は、木天板差し込み連結用部材９は合成樹脂製の部材を一体成形したものであるから、木天板差し込み係合凹部10に合わせた形状や大きさとなるよう、精度良く製造することができる。
【００４９】
尚、本発明は、本実施例に限られるものではなく、各構成要件の具体的構成は適宜設計し得るものである。
【符号の説明】
【００５０】
１  支柱
２  枠形成体
３  木天板
４  枠状本体部
５  引出体
７Ｂ  上側差し込み端部
８Ａ  下側差し込み係合部
９  木天板差し込み連結用部材
９ａ  取付部
９ｂ  差し込み係合凸部
９ｃ  突起部
10  木天板差し込み係合凹部
11  凹部
12  凸部
【図１】
2018019842.tif 000003
【図２】
2018019842.tif 000004
【図３】
2018019842.tif 000005
【図４】
2018019842.tif 000006
【図５】
2018019842.tif 000007